(57)【特許請求の範囲】
【請求項１】
直流をスイッチングして負荷に交流を供給するように配設されたスイッチング手段と；
正帰還を行ってスイッチング手段を自励発振させるが配線路を介して接続される負荷を取り外したときには帰還ループが実質的に切断される電流帰還回路と；
負荷を取り外したときに逆極性の電流を電流帰還回路に供給して配線路間の浮遊静電容量によって生じ得る帰還電流を相殺することができる逆極性帰還手段と；
を具備していることを特徴とするインバータ装置。
【請求項２】
配線路を介して負荷を２次側に接続できるようにした絶縁形の出力トランスと；
出力トランスの１次巻線にスイッチングされた電圧を印加するように配設されたスイッチング手段と；
出力トランスの２次側回路に１次巻線が挿入され、２次巻線がスイッチング手段が電流帰還形の自励発振動作を行うようスイッチング手段の制御端子に接続された電流変成器を含む電流帰還回路と；
負荷を取り外したときに逆極性の電流を電流帰還回路に供給して配線路間の浮遊静電容量によって生じ得る帰還電流を相殺することができる逆極性帰還手段と；
を具備していることを特徴とするインバータ装置。
【請求項３】
逆極性帰還手段は、出力トランスの２次巻線に対して逆極性の３次巻線およびコンデンサの直列回路を含み電流変成器の１次巻線に対して並列的に接続して構成されていることを特徴とする請求項２記載のインバータ装置。
【請求項４】
逆極性帰還手段は、出力端間に接続されたインダクタによって構成されていることを特徴とする請求項１または２記載のインバータ装置。
【請求項５】
直流をスイッチングして負荷に交流を供給するように配設されたスイッチング手段と；
正帰還を行ってスイッチング手段を自励発振させるが配線路を介して接続される負荷を取り外したときには帰還ループが実質的に切断される電流帰還回路と；
負荷を取り外したときの周波数変化に関連して負荷装着時の周波数においてのみ電流帰還を行えるように作用する周波数応動手段と；
を具備していることを特徴とするインバータ装置。
【請求項６】
配線路を介して負荷を２次側に接続できるようにした絶縁形の出力トランスと；
出力トランスの１次巻線にスイッチングされた電圧を印加するように配設されたスイッチング手段と；
出力トランスの２次側回路に１次巻線が挿入され、２次巻線がスイッチング手段が電流帰還形の自励発振動作を行うようスイッチング手段の制御端子に接続された電流変成器を含む電流帰還回路と；
負荷を取り外したときの周波数変化に関連して負荷装着時の周波数においてのみ電流帰還を行えるように作用する周波数応動手段と；
を具備していることを特徴とするインバータ装置。
【請求項７】
周波数応動手段は、負荷取り外し時の周波数に相当するトラップ周波数を備え、電流帰還回路に挿入されたトラップ手段によって構成されていることを特徴とする請求項５または６記載のインバータ装置。
【請求項８】
周波数応動手段は、負荷装着時の周波数を選択的に通過させる特性を備え、電流帰還回路に挿入されたフィルター手段によって構成されていることを特徴とする請求項５または６記載のインバータ装置。
【請求項９】
請求項１ないし８のいずれか一記載のインバータ装置と；
インバータ装置の出力によって付勢される放電ランプと；
を具備していることを特徴とする放電ランプ点灯装置。
【請求項１０】
照明装置本体と；
照明装置本体に配設された請求項９記載の放電ランプ点灯装置と；
を具備していることを特徴とする照明装置。
【発明の詳細な説明】
【０００１】
【発明の属する技術分野】
本発明はインバータ装置、放電ランプ点灯装置および照明装置に関する。
【０００２】
【従来の技術】
図７は、従来の電流帰還形自励発振式のインバータ装置を示す回路図である。
【０００３】
図において、７１は交流電源、７２は直流電源、７３はスイッチング手段、７４は絶縁形の出力トランス、７５は負荷たとえば放電ランプ、７６は電流帰還回路である。
【０００４】
直流電源７２は、整流回路からなり、交流電源７１の整流化直流を出力する。
【０００５】
スイッチング手段７３は、出力トランス７４の１次巻線にスイッチングされた電圧を印加するように接続されている。
【０００６】
電流帰還回路７６は、出力トランス７４の２次巻線間に接続された負荷７５の回路に１次巻線が直列に挿入され、かつ２次巻線がスイッチング手段の制御端子に接続された電流変成器７６ａを含んでいて、スイッチング手段７３に正帰還を行うように構成されている。
【０００７】
【発明が解決しようとする課題】
図７に示す従来技術は、負荷７５に至る配線路間に無視し得ない浮遊静電容量が存在している場合、負荷を外している状態において微弱な帰還電流が発生し、これによって発振が継続することがある。このときの発振は、帰還電流が少ないので、インバータ装置のスイッチング手段７３に対してドライブ不足となるため、異常発振となる。すなわち異常発振時にはドライブが少ないので、スイッチング手段の電圧降下が大きく、したがってスイッチング損失が増大し、スイッチング手段の温度上昇が過大となり、ときにはスイッチング手段が破壊される。
【０００８】
また、浮遊静電容量の値によっては浮遊静電容量と出力トランスの２次側インダクタンスとの共振点近くでインバータ装置が動作することになり、２次開放電圧が極端に高くなり、ランプ交換の際に人体に電撃を与えたり、出力トランスの寿命の短縮を招来するという問題がある。
【０００９】
さらに、ランプ脱時における起動から安定動作に至るまでの間のスイッチング特性が良好でないという問題もある。
【００１０】
本発明は、負荷を取り外したときには帰還ループが実質的に切断される電流帰還回路を備えるインバータ装置において、負荷に至る配線路間に無視し得ない浮遊静電容量が存在していても負荷を外した際に確実にインバータ動作を停止するインバータ装置、放電ランプ点灯装置および照明装置を提供することを目的とする。
【００１１】
【課題を達成するための手段】
請求項１の発明のインバータ装置は、直流をスイッチングして負荷に交流を供給するように配設されたスイッチング手段と；正帰還を行ってスイッチング手段を自励発振させるが配線路を介して接続される負荷を取り外したときには帰還ループが実質的に切断される電流帰還回路と；負荷を取り外したときに逆極性の電流を電流帰還回路に供給して配線路間の浮遊静電容量によって生じ得る帰還電流を相殺することができる逆極性帰還手段と；を具備していることを特徴としている。
【００１２】
本発明および以下の各発明において、特に指定しない限り用語の定義および技術的意味は次による。
【００１３】
負荷は、どのようなものでもよいが、放電ランプ特に蛍光ランプは負荷として好適である。
【００１４】
スイッチング手段は、インバータ装置において使用されている各種のスイッチング手段たとえば内蔵している寄生ダイオードを逆電流通流に利用することができる電界効果トランジスタなどを全て許容するものであるが、２次開放電圧の変化に安全手段を応動させる場合には、特にバイポーラ形トランジスタはスイッチング手段として好適である。バイポーラ形トランジスタを用いる場合には、逆電流を通流させるために、トランジスタのコレクタ・エミッタ間にダイオードを逆接続することができる。
【００１５】
スイッチング手段を用いてインバータ主回路を構成するに当たり、通常使用されるインバータ回路は全て許容する。すなわち、ハーフブリッジ形回路、一石式回路、並列形回路などを用いることができる。また、ハーフブリッジ形回路の変形として同一出願人の出願にかかわる特開平８−９８５５５号に記載の回路もまた用いることができる。この回路構成によれば、入力電圧を平滑化して出力電圧の脈動を小さくするとともに、入力力率を高くして、入力電流の高調波を低減することができる。
【００１６】
制御回路は、スイッチング手段をオン、オフするものであればどのような回路構成のものであってもよい。オン、オフの周波数は交流電源の周波数より高いものであり、数ＫＨｚ以上好ましくは２０ＫＨｚ以上とする。
【００１７】
逆極性帰還手段は、負荷を取り外した際に配線路間の浮遊静電容量によって電流帰還回路に流れ得る電流を相殺する逆極性の電流を電流帰還回路に供給するものであれば、回路構成はどのようなものであってもよい。なお、相殺するとは完全な相殺のみを意味するのではなく、スイッチング手段が不所望なスイッチングをしない程度であれば、浮遊静電容量による帰還が若干残存するものも許容される。また、逆極性帰還手段による逆極性帰還量が浮遊静電容量による帰還量より多くてもスイッチング手段は不所望なスイッチングをしないのでさしつかえない。
【００１８】
配線路は設計上最大１０ｍまで許容するとすれば、ビニル電線の場合、配線路間の浮遊静電容量は約３００ｐＦである。なお、負荷が照明目的の蛍光ランプの場合、通常配線路間の浮遊静電容量は数ｐＦないし数１００ｐＦ程度である。
しかし、本発明は配線路長および電線の種類について何等制約を受けるものではなく、任意にして所望の配線長を設定し、所望の電線を使用することができる。したがって、配線路間の浮遊静電容量もまた配線路長および電線の種類によって変わることになる。
【００１９】
そうして、本発明においては、負荷を外したときにたとえ配線路間に無視し得ない浮遊静電容量が存在していても逆極性帰還手段による逆極性の電流が電流帰還回路に供給され、これにより浮遊静電容量による帰還電流が相殺されるので、電流変成器には不所望な帰還電流が通流しない。すなわち、電流帰還がなされないから、インバータ装置は確実にそのインバータ動作を停止する。
【００２０】
請求項２の発明のインバータ装置は、配線路を介して負荷を２次側に接続できるようにした絶縁形の出力トランスと；出力トランスの１次巻線にスイッチングされた電圧を印加するように配設されたスイッチング手段と；出力トランスの２次側回路に１次巻線が挿入され、２次巻線がスイッチング手段が電流帰還形の自励発振動作を行うようスイッチング手段の制御端子に接続された電流変成器を含む電流帰還回路と；負荷を取り外したときに逆極性の電流を電流帰還回路に供給して配線路間の浮遊静電容量によって生じ得る帰還電流を相殺することができる逆極性帰還手段と；を具備していることを特徴としている。
【００２１】
出力トランスは、漏洩インダクタンスを付与させて負荷が放電ランプの場合に限流作用を行わせてもよいし、漏洩インピーダンスを積極的に付与させないで、限流インピーダンスを出力トランスの前段または後段において外付けにするようにしてもよい。
【００２２】
請求項３の発明のインバータ装置は、請求項２記載のインバータ装置において、逆極性帰還手段は、出力トランスの２次巻線に対して逆極性の３次巻線およびコンデンサの直列回路を含み電流変成器の１次巻線に対して並列的に接続して構成されていることを特徴としている。
【００２３】
本発明は、上記のように構成することにより、出力トランスの３次巻線によって発生した低電圧を電源とする逆極性帰還電流を電流変成器の１次巻線に対して供給する。したがって、電流変成器の１次側において帰還電流の相殺が行われる。
【００２４】
３次巻線をさらにフィラメント加熱に利用してもよい。この場合、コンデンサの両端を加熱すべきフィラメントの両端に接続すればよい。なお、フィラメント加熱は、要すれば４次巻線を別に設けて行わせてもよい。
【００２５】
請求項４の発明のインバータ装置は、請求項１または２記載のインバータ装置において、逆極性帰還手段は、出力端間に接続されたインダクタによって構成されていることを特徴としている。
【００２６】
インダクタには遅れ位相の電流が流れる。これに対して、浮遊静電容量によって流れる電流は進み位相であるから、両電流は相殺される。このため、インダクタの値を適当に選定すればスイッチング手段に対する正帰還を実質的になくすることができる。
【００２７】
請求項５の発明のインバータ装置は、直流をスイッチングして負荷に交流を供給するように配設されたスイッチング手段と；正帰還を行ってスイッチング手段を自励発振させるが配線路を介して接続される負荷を取り外したときには帰還ループが実質的に切断される電流帰還回路と；負荷を取り外したときの周波数変化に関連して負荷装着時の周波数においてのみ電流帰還を行えるように作用する周波数応動手段と；を具備していることを特徴としている。
【００２８】
自励発振形のインバータ装置は、負荷を取り外したときには回路の応答周波数が変化するため、発振周波数が影響を受けて変化する。特に負荷が蛍光ランプで、しかも予熱用のコンデンサを各フィラメント電極の非電源側端子間に接続している回路形式の場合には、蛍光ランプの取り外しに伴い予熱用コンデンサが開路するので、著しい周波数の変化を生じる。
【００２９】
周波数応動手段は、この周波数変化に応動して負荷が装着されている場合にのみ電流帰還が行われるように作用する。たとえば負荷が取り外されたときの周波数になると、電流帰還回路を短絡するか、開放するように回路を構成すれば、電流帰還は行われなくなる。また、負荷装着時の周波数に対してのみ電流帰還を通過させるように回路を構成してもよい。このようにすれば、負荷を取り外したときの周波数では電流帰還が阻止されることになる。
【００３０】
そうして、本発明は負荷の着脱に伴う周波数変化に応動して負荷装着時のみに電流帰還を許容するので、負荷を取り外したときにはインバータ装置を発振させない。
【００３１】
請求項６の発明のインバータ装置は、配線路を介して負荷を２次側に接続できるようにした絶縁形の出力トランスと；出力トランスの１次巻線にスイッチングされた電圧を印加するように配設されたスイッチング手段と；出力トランスの２次側回路に１次巻線が挿入され、２次巻線がスイッチング手段が電流帰還形の自励発振動作を行うようスイッチング手段の制御端子に接続された電流変成器を含む電流帰還回路と；負荷を取り外したときの周波数変化に関連して負荷装着時の周波数においてのみ電流帰還を行えるように作用する周波数応動手段と；を具備していることを特徴としている。
【００３２】
出力トランスは、請求項２に関して記述したとおりであり、また周波数応動手段については請求項５に関して記述したとおりである。
【００３３】
請求項７の発明のインバータ装置は、請求項５または６記載のインバータ装置において、周波数応動手段は、負荷取り外し時の周波数に相当するトラップ周波数を備え、電流帰還回路に挿入されたトラップ手段によって構成されていることを特徴としている。
【００３４】
本発明は、トラップ手段を用いて周波数応動手段を構成したものであるが、直列共振形のものを使用するときは、トラップ周波数においてインピーダンスが零になるので、電流帰還回路を短絡するように接続すればよい。また、並列共振形のものを使用するときは、トラップ周波数においてインピーダンスが無限大になるので、電流帰還回路を開路するように接続すればよい。
【００３５】
そうして、負荷を取り外したときの発振周波数に応動してトラップ作用を行い電流帰還回路を不能にすることにより、電流帰還を実質的になくすものである。
【００３６】
請求項８の発明のインバータ装置は、請求項５または６記載のインバータ装置において、周波数応動手段は、負荷装着時の周波数を選択的に通過させる特性を備え、電流帰還回路に挿入されたフィルター手段によって構成されていることを特徴としている。
【００３７】
本発明はフィルター手段を用いて周波数応動手段を構成したもので、負荷装着時の発振周波数のみを通過させるので、負荷を取り外している場合に電流帰還を行おうとしてもフィルター手段が阻止するので、電流帰還は実質的に行われない。
【００３８】
請求項９の発明の放電ランプ点灯装置は、請求項１ないし８のいずれか一記載のインバータ装置と；インバータ装置の出力によって付勢される放電ランプと；を具備していることを特徴としている。
【００３９】
本発明は、請求項１ないし８の作用および特徴を有する放電ランプ点灯装置である。
【００４０】
請求項１０の発明の照明装置は、照明装置本体と；照明装置本体に配設された請求項９記載の放電ランプ点灯装置と；を具備していることを特徴としている。
【００４１】
本発明は、照明器具など照明装置において、請求項１ないし８の作用および特徴を有している。
【００４２】
【発明の実施の形態】
以下、本発明の実施の形態を図面を参照して説明する。
【００４３】
図１は、本発明のインバータ装置および放電ランプ点灯装置の第１の実施形態を示す回路図である。
【００４４】
図において、１は交流電源、２は直流電源、３はスイッチング手段、４は出力トランス、５は負荷たとえば放電ランプ、６は電流帰還回路、７は逆極性帰還手段である。
【００４５】
直流電源２は、交流を整流して得る形式のものである。
【００４６】
スイッチング手段３は、たとえばバイポーラ形トランジスタ一石で構成するもので、直流電源間に出力トランスの１次巻線４ａと直列接続されて、１次巻線４ａに対してスイッチングされた電圧を印加する。
【００４７】
出力トランス４は、２次巻線４ｂの他に２次巻線４ｂと極性を反対にした３次巻線４ｃを備えている。２次巻線４ｂには漏洩インピーダンスを付与していて、２次巻線４ｂ間に負荷５として放電ランプたとえば蛍光ランプを接続した場合に限流作用を行うように構成されている。１次巻線４ａと並列に共振用のコンデンサＣ１が接続されている。
【００４８】
負荷５の蛍光ランプは、フィラメント予熱用のコンデンサＣ２を非電源側端子間に接続している。
【００４９】
電流帰還回路６は、負荷５と直列に１次巻線６ａ１を接続した電流変成器６ａを備えている。電流変成器６ａの２次巻線６ａ２をコンデンサＣ３を介してスイッチング手段３のベース、エミッタ間に接続して電流帰還回路６を構成している。
【００５０】
逆極性帰還手段７は、前記出力トランス４の３次巻線４ｃおよびコンデンサＣ４の直列回路からなり、電流変成器６ａの１次巻線６ａ１と並列に接続している。３次巻線４ｃは２次巻線４ｂに対して逆極性を付与されている。
【００５１】
８はいわゆるリセット回路で、ダイオード８ａおよび抵抗器８ｂの直列回路からなり、スイッチング手段３のベース、エミッタ間に接続していて、コンデンサＣ３の充電電荷をスイッチング手段３のオフ時に放電させる機能を有している。
【００５２】
ＣＳは、配線路間の浮遊静電容量である。
【００５３】
そうして、インバータ装置が発振しているときに負荷５を取り外すと、浮遊静電容量によって電流変成器６ａの２次巻線６ａ２に負荷装着時に比べて微弱な帰還電流が流れるが、同時に逆極性帰還手段７がこの帰還電流を打ち消す方向に逆極性の電流を電流帰還回路６に流すから、帰還電流は相殺されて、スイッチング手段３に対しての帰還電流は実質的に流れないことになる。このように、電流帰還は実質的になくなるので、インバータ主回路３のインバータ動作は停止する。したがって、異常発振は発生しない。なお、負荷装着時は予熱用のコンデンサＣ2はたとえば０．０１μＦであるとすると、数Ｖの電圧が電流変成器６ａの２次巻線６ａ２に誘起するが、本発明による逆極性帰還手段のない場合であって浮遊静電容量ＣSによる電流が帰還されている状態では上記より少ない電圧が誘起され、異常スイッチングを惹起する原因となる。
【００５４】
次に、具体的数値例を説明する。
【００５５】
出力トランス４の２次巻線４ｂの電圧ＶＬを１００Ｖ、３次巻線４ｃの電圧Ｖ４を３Ｖ、浮遊静電容量ＣＳを３００ｐＦとすると、コンデンサＣ４は下式により求めることができる。
【００５６】
Ｃ４＝ＶＬ・ＣＳ／Ｖ４＝１０×１０−９＝１０ｎＦ
図２は、本発明のインバータ装置および放電ランプ点灯装置の第２の実施形態を示す回路図である。
【００５７】
図１と同一部分には同一符号を付して説明は省略する。
【００５８】
本実施形態は、逆極性帰還手段が第１の実施形態と異なる。すなわち、インバータ装置の出力端間に接続されたインダクタＬ１からなる。
【００５９】
そうして、浮遊静電容量ＣSによって帰還される電流は進み電流であるのに対して、インダクタＬ1によって流れる電流は遅れ電流、したがって進み電流に対して逆極性の電流であるから、両者は相殺されて電流帰還回路には実質的に電流帰還は行われない。
【００６０】
次に、具体的数値例について説明する。
【００６１】
浮遊静電容量のインピーダンスとインダクタのインピーダンスとを等しくすればよいから、下式により、インダクタＬ１の値を求める。なお、浮遊静電容量ＣＳは３００ｐＦとする。
【００６２】
１／２πｆＣＳ＝２πｆＬ１
Ｌ１＝４π２ｆ２ＣＳ＝３３．８ｍＨ
図３は、本発明のインバータ装置および放電ランプ点灯装置の第３の実施形態を示す回路図である。
【００６３】
図２と同一部分には同一符号を付して説明は省略する。
【００６４】
本実施形態は、周波数応動手段９を備えている点に特徴がある。この周波数応動手段９は、負荷５を取り外したときの周波数変化に関連して負荷装着時の周波数においてのみ電流帰還を行えるように作用するもので、いくつかの構成が考えられるが、図３ではトラップ周波数を負荷取り外し時の周波数に設定したトラップ手段を用いている。すなわち、トラップ手段したがって周波数応動手段はインダクタＬ2およびコンデンサＣ5の直列回路からなり、電流変成器６ａの１次巻線６ａ１と並列に接続されている。
【００６５】
そうして、負荷５を取り外すと、周波数が変化してトラップ周波数になるので、トラップ手段はそのインピーダンスが実質的に零となるため、帰還電流をトラップして、電流変成器６ａに通流させないようにする。したがって、電流帰還が行われないから、インバータ装置はインバータ動作を停止する。
【００６６】
具体的数値例を説明する。
【００６７】
負荷５装着時の周波数を５０ＫＨｚとし、負荷５を取り外したときの周波数を２００ＫＨｚとすると、インダクタＬ２を２．９μＨ、コンデンサＣ５を０．２２μＦとすればよい。
【００６８】
図４は、本発明のインバータ装置および放電ランプ点灯装置の第４の実施形態を示す回路図である。
【００６９】
図３と同一部分には同一符号を付して説明は省略する。
【００７０】
本実施形態は、周波数応動手段９’の構成において図３の実施形態と異なる。すなわち、インダクタＬ３とコンデンサＣ６との並列回路からなるトラップ手段を電流帰還回路に直列に挿入した構成である。
【００７１】
そうして、負荷５を取り外しすと、周波数変化が生じてトラップ周波数になる。トラップ手段はインピーダンスが並列共振のため非常に大きくなるから、トラップ作用をして電流帰還を阻止する。このため、インバータ装置は停止する。
【００７２】
具体的数値例を説明する。
【００７３】
負荷装着時の周波数および負荷取り外し時の周波数を図３の場合と同じとすれば、トラップ周波数は図３と同一であり、したがって回路の定数も同一とすることができる。
【００７４】
図５は、本発明のインバータ装置および放電ランプ点灯装置の第５の実施形態を示す回路図である。
【００７５】
図４と同一部分には同一符号を付して説明は省略する。
【００７６】
本実施形態は、周波数応動手段９”がフィルター手段を用いている点において図４の実施形態と異なる。すなわち、周波数応動手段９”は、インダクタＬ４およびコンデンサＣ７の直列回路からなるフィルター手段であって、電流帰還回路６に直列に挿入されている。フィルター手段は負荷装着時の周波数を通過周波数としてある。
【００７７】
そうして、負荷５が装着されているときは、周波数応動手段９”が電流帰還を通過させるので、インバータ装置は所期の周波数では電流帰還形自励発振をするが、負荷５を取り外すと、周波数が変化するので、周波数応動手段９”が阻止動作をするため、電流帰還回路は開路状態となって電流帰還動作を行うことができない。このため、インバータ装置は停止する。
【００７８】
具体的数値例を説明する。
【００７９】
負荷装着時の周波数および負荷取り外し時の周波数を図３の場合と同一とすれば、たとえばＬ４を１０．１μＨ、Ｃ７を１μＦにすればよい。
【００８０】
図６は、本発明の照明装置の一実施形態を示す照明器具の斜視図である。
【００８１】
図において、１０は照明器具本体で、１１は蛍光ランプである。
【００８２】
照明器具本体１０は、蛍光ランプ１１を支持するとともに、本発明のインバータ装置（図示しない。）を内蔵している。
【００８３】
【発明の効果】
請求項１ないし８の各発明によれば、負荷を取り外したときには帰還ループが実質的に切断される電流帰還回路を備えるインバータ装置において、負荷に至る配線路間に無視し得ない浮遊静電容量が存在していても負荷を外した際に確実にインバータ動作を停止するインバータ装置を提供することができる。したがって、不所望な異常スイッチングによりスイッチング手段の異常発熱や破壊などの問題発生を防止することができる。
【００８４】
請求項１ないし４の各発明によれば、加えて逆極性帰還手段によって浮遊静電容量による帰還電流を逆極性の電流によって相殺することにより、負荷を取り外し際に帰還を実質的になくしてインバータ動作を確実に停止させることができる。
【００８５】
請求項５ないし８の各発明によれば、加えて周波数応動装置によって負荷装着時の周波数における電流帰還を維持して負荷を取り外した際の周波数では電流帰還を阻止することにより、インバータ動作を確実に停止するインバータ装置を提供することができる。
【００８６】
請求項９の発明によれば、請求項１ないし８の効果を有する放電灯点灯装置を提供することができる。
【００８７】
請求項１０の発明によれば、請求項１ないし８の効果を有する照明装置を提供することができる。
【図面の簡単な説明】
【図１】本発明のインバータ装置および放電ランプ点灯装置の第１の実施形態を示す回路図
【図２】本発明のインバータ装置および放電ランプ点灯装置の第２の実施形態を示す回路図
【図３】本発明のインバータ装置および放電ランプ点灯装置の第３の実施形態を示す回路図
【図４】本発明のインバータ装置および放電ランプ点灯装置の第４の実施形態を示す回路図
【図５】本発明のインバータ装置および放電ランプ点灯装置の第５の実施形態を示す回路図
【図６】本発明の照明装置の一実施形態を示す照明器具の斜視図
【図７】従来の電流帰還形自励発振式のインバータ装置を示す回路図
【符号の説明】
１…交流電源
２…直流電源
３…スイッチング手段
４…出力トランス
５…負荷
６…電流帰還回路
７…逆極性帰還手段
ＣＳ…浮遊静電容量
【図１】
0003620160.tif 000002
【図２】
0003620160.tif 000003
【図３】
0003620160.tif 000004
【図４】
0003620160.tif 000005
【図５】
0003620160.tif 000006
【図６】
0003620160.tif 000007
【図７】
0003620160.tif 000008